(57)【要約】      （修正有）【課題】ターンテーブルの回転と載置されている記録媒体の回転を十分に同調可能な、ターンテーブルと前記ターンテーブル上に載置される記録媒体との間に介在させる滑り止めシートとして使用できる、アニュラス形状を有するシートを提供する。【解決手段】ターンテーブルと前記ターンテーブル上に載置される記録媒体との間に介在させ使用する、アニュラス形状を有するシートであって、アニュラス形状を有するシートは、アニュラス形状を有する基材と基材よりもタック性を有する樹脂とを備える。滑り止めシートとして使用可能なアニュラス形状を有するシートは、基材における一方の主面上に樹脂が非連続に存在していることで、ターンテーブルの回転と載置されている記録媒体の回転を、同調し易くできる。【選択図】図１
0003232961.tif 000002
【実用新案登録請求の範囲】
【請求項１】
ターンテーブルと前記ターンテーブル上に載置される記録媒体との間に介在させ使用する、アニュラス形状を有するシートであって、
前記アニュラス形状を有するシートは、アニュラス形状を有する基材と前記基材よりもタック性を有する樹脂とを備えており、
前記基材における一方の主面上に、前記樹脂が非連続に存在している、
アニュラス形状を有するシート。
【請求項２】
前記樹脂がピンドット模様をなし前記主面上に存在している、請求項１に記載のアニュラス形状を有するシート。
【請求項３】
前記基材におけるもう一方の主面上にも前記樹脂が非連続に存在している、請求項１または請求項２に記載のアニュラス形状を有するシート。
【請求項４】
前記基材におけるもう一方の主面上に接着剤層を有する、請求項１または請求項２に記載のアニュラス形状を有するシート。
【考案の詳細な説明】
【技術分野】
【０００１】  本考案は、ターンテーブルと前記ターンテーブル上に載置される記録媒体との間に介在させ滑り止めシートとして使用可能な、アニュラス形状を有するシートに関する。
【背景技術】
【０００２】  レコード盤や光ディスク（例えば、ＣＤ、ＳＡＣＤ、ＤＶＤ、Ｂｌｕ−ｒａｙ  Ｄｉｓｃ（登録商標））などの記録媒体から音声データや映像データなどの各種データを読み取るため、レコードプレーヤーや光ディスクプレーヤーのターンテーブル上にこれら記録媒体を載置し回転させる。このとき、記録媒体から正確にデータを読み取るためには、ターンテーブルの回転と、前記ターンテーブル上に載置されている記録媒体の回転とが同調する必要がある。しかし、ターンテーブルと記録媒体の摩擦抵抗が小さい場合や、ターンテーブルの回転速度が早い場合など、ターンテーブルの回転と載置されている記録媒体の回転を、同調し難いことがあった。【０００３】  このような問題を解決可能な従来技術として、ターンテーブルと前記ターンテーブル上に載置される記録媒体との間に滑り止めシートを介在させことが行われている。このような滑り止めシートの具体例として、特開２０００−１８２３０６号（特許文献１）には、アニュラス形状を有するシート本体の主面上の全てを覆うように、ウレタンゴム層を設けてなる滑り止めシートが開示されている。
【先行技術文献】
【特許文献】
【０００４】
【特許文献１】特開２０００−１８２３０６号
【考案の概要】
【考案が解決しようとする課題】
【０００５】  本願出願人が従来技術について検討したところ、例えば特許文献１が開示する滑り止めシートを用いたとしても、なおもターンテーブルの回転と載置されている記録媒体の回転を十分に同調できないことを見出した。
【課題を解決するための手段】
【０００６】  本考案は、「（請求項１）ターンテーブルと前記ターンテーブル上に載置される記録媒体との間に介在させ使用する、アニュラス形状を有するシートであって、前記アニュラス形状を有するシートは、アニュラス形状を有する基材と前記基材よりもタック性を有する樹脂とを備えており、前記基材における一方の主面上に、前記樹脂が非連続に存在している、アニュラス形状を有するシート。
（請求項２）前記樹脂がピンドット模様をなし前記主面上に存在している、請求項１に記載のアニュラス形状を有するシート。
（請求項３）前記基材におけるもう一方の主面上にも前記樹脂が非連続に存在している、請求項１または請求項２に記載のアニュラス形状を有するシート。
（請求項４）前記基材におけるもう一方の主面上に接着剤層を有する、請求項１または請求項２に記載のアニュラス形状を有するシート。」である。
【考案の効果】
【０００７】  本願出願人が検討したところ「ターンテーブルと前記ターンテーブル上に載置される記録媒体との間に介在させ使用する、アニュラス形状を有するシートであって、前記アニュラス形状を有するシートは、アニュラス形状を有する基材と前記基材よりもタック性を有する樹脂とを備える」、滑り止めシートとして使用可能なアニュラス形状を有するシートについて、前記基材における一方の主面上に前記樹脂が非連続に存在していることで、ターンテーブルの回転と載置されている記録媒体の回転を、同調し易くできることを見出した。【０００８】  そして、前記樹脂がピンドット模様をなし主面上に存在していることで、ターンテーブルの回転と載置されている記録媒体の回転を、より同調し易くできることを見出した。【０００９】  また、基材におけるもう一方の主面上にも、前記樹脂が非連続に存在していることで、ターンテーブルの回転と載置されている記録媒体の回転を、より一層同調し易くできることを見出した。【００１０】  更に、基材におけるもう一方の主面上に接着剤層を有する場合には、当該接着層によってアニュラス形状を有するシートを、ターンテーブル上あるいは記録媒体に接着して固定できる。その結果、ターンテーブルの回転と載置されている記録媒体の回転を、より一層同調し易くできることを見出した。
【図面の簡単な説明】
【００１１】
【図１】本考案にかかるアニュラス形状を有するシートの実施態様であって、その主面を写した写真である。
【図２】本考案にかかるアニュラス形状を有するシートの別の実施態様であって、その主面を写した写真である。
【図３】図１に図示した本考案にかかるアニュラス形状を有するシートを、レコードプレーヤーのターンテーブル上に載置した態様を写した写真である。
【図４】図２に図示した本考案にかかるアニュラス形状を有するシートを、光ディスクプレーヤーのターンテーブル上に接着して固定した態様を写した写真である。
【図５】図２に示した本考案にかかるアニュラス形状を有するシートを、光ディスクに接着して固定した態様を写した写真である。
【考案を実施するための形態】
【００１２】  本明細書で説明する各値は特に記載のない限り、求める値よりも一桁小さな値まで求め、当該値を四捨五入することで求める値を算出した。具体例として、小数第一位までが求める値である場合、測定によって小数第二位まで値を求め、得られた小数第二位の値を四捨五入することで小数第一位までの値を算出し、この値を求める値とした。
【００１３】  本考案でいうアニュラス形状とは、一方の主面ともう一方の主面ならびに厚さを有する円盤状の形状を有し、その中心に円形の開口を有する形状を指す。なお、本考案にかかるアニュラス形状を有するシート（および、本考案にかかるアニュラス形状を有する基材）の外周を成す円の中心と、前記円形の開口の外周の中心とは同一である。以降、本考案にかかるアニュラス形状を有するシートを「シート」と略し、本考案にかかるアニュラス形状を有する基材を「基材」と略すことがある。
【００１４】  本考案にかかる基材の種類は適宜選択でき、紙、フィルム、合成紙、不織布、織物、編物、金属板などであることができる。なお、基材はこれらを組み合わせたものであってもよく、例えば、紙の両主面にフィルムをラミネートした積層体であってもよい。
【００１５】  基材の直径や、基材の中心に存在する円形の開口の直径（内径）の大きさは、シートの用途に合わせ適宜調整できる。具体的には、基材の直径はシートの直径と同一であることができ、基材の内径はシートの内径と同一であることができる。
【００１６】  基材の厚さは適宜調整でき、シートの用途に合わせ適宜調整できる。具体的には、下限値は０μｍより大きく１００μｍ以上であることができ、２００μｍ以上であることができる。また、上限値は１０００μｍ以下であることができ、９００μｍ以下であることができ、８００μｍ以下であることができ、７００μｍ以下であることができ、６００μｍ以下であることができ、５００μｍ以下であることができ、４００μｍ以下であることができ、３００μｍ以下であることができる。なお、本明細書でいう厚さは、測定対象物の主面におけるランダムに選択した１０個所において、外側マイクロメータを用いて測定した両主面間の距離の平均値を指す。
【００１７】  本考案でいう基材よりもタック性を有する樹脂とは、基材の主面を構成する成分よりも、記録媒体におけるシートと接触する主面に対するタック性に富む樹脂であり、基材の主面上に突起物として存在しており、ターンテーブルあるいは記録媒体に対しスパイクの如く作用するためか、主として滑り止めの役割を担う。また、本考案でいうタック性とは記録媒体を保持する性能を指し、以下の方法で評価できる。
【００１８】（タック性の評価方法）
（１）基材と同じ大きさの、本考案にかかる樹脂で構成されたアニュラス形状を有する平板を用意する。
（２）基材における一方の主面を重力方向と垂直を成す状態にし、前記主面上に記録媒体を載置する。
（３）記録媒体ごと基材を傾けてゆき、基材の主面から記録媒体が滑落した時における、重力方向と垂直を成す方向に対し前記一方の主面が成している角度Ａを測定する。
（４）基材の代わりに前記平板を用いて、上述した（２）〜（３）の測定を行い、重力方向と垂直を成す方向に対し前記平板における一方の主面が成している角度Ｂを測定する。
（５）角度Ｂが角度Ａよりも大きい場合、前記樹脂は前記基材よりもタック性を有すると判断できる。
【００１９】  本考案にかかる樹脂の種類は、基材の主面を構成する成分と記録媒体の主面を構成する成分との組み合わせに合わせ適宜選択できるものであるが、例えば、アクリル樹脂やウレタン樹脂などの有機樹脂、あるいは、シリコン樹脂を使用できる。特にタック性に優れる点、樹脂が接触することに起因するターンテーブルや記録媒体の劣化を防止できる点、耐熱性に富み高温条件下でも安定して使用でき車載用途などにも適する点から、シリコン樹脂を用いるのが好ましい。
【００２０】  シートを構成する、アニュラス形状を有する基材と前記基材よりもタック性を有する樹脂との組み合わせは、上述したように適宜選択する。具体例として、記録媒体がレコード盤や光ディスクである場合には、紙からなる基材とシリコン樹脂との組み合わせであることができる。
【００２１】  本考案では、基材における一方の主面上に、前記基材よりもタック性を有する樹脂が非連続に存在していることを特徴とする。ここでいう非連続とは、基材における一方の主面上全てを覆うことなく前記樹脂が存在していることを意味する。つまり、本考案にかかるシートでは、前記樹脂が存在している側の主面に基材が部分的に露出していることを意味する。本構成を満足することによって、ターンテーブルの回転と載置されている記録媒体の回転を、同調し易くできるアニュラス形状を有するシートを提供できる。
【００２２】  基材における一方の主面上に存在する前記樹脂の態様は適宜選択できるが、具体例として、直線状、波線状、格子状、ランダム模様、ピンドット模様をなすなどドット状の態様で存在できる。特に、ピンドット模様をなす態様で存在している場合には、基材における一方の主面上の全体に同形状の前記樹脂が均一に分布して存在していることによって、ターンテーブルの回転と載置されている記録媒体の回転を、より同調し易くできるアニュラス形状を有するシートを提供できる。なお、ここでいうピンドット模様とは、直線を用いて格子模様を作図することを想定した際の当該直線同士の交点上にドットが存在してなる模様を指す。
【００２３】  前記樹脂一つあたりの直径（各線の幅あるいは各ドットの直径）は適宜調整できるが、具体的には、下限値は０μｍより大きく１００μｍ以上であることができ、２００μｍ以上であることができる。また、上限値は１０００μｍ以下であることができ、９００μｍ以下であることができ、８００μｍ以下であることができ、７００μｍ以下であることができ、６００μｍ以下であることができ、５００μｍ以下であることができる。また、前記樹脂同士の間隔（隣接する前記樹脂の中心同士がなす最短距離）は適宜調整できるが、具体的には、下限値は０μｍより大きく１ｍｍ以上であることができ、２ｍｍ以上であることができる。また、上限値は５ｍｍ以下であることができ、４ｍｍ以下であることができ、３ｍｍ以下であることができる。
【００２４】  また、基材におけるもう一方の主面上にも、前記樹脂が非連続に存在しているのが好ましい。本構成を満足することによって、ターンテーブルとシートの間、そして、シートと記録媒体の間に、非連続に存在している前記樹脂が介在できる。その結果、ターンテーブルの回転と載置されている記録媒体の回転を、より一層同調し易くできるアニュラス形状を有するシートを提供できる。特に、基材におけるもう一方の主面上にも、前記樹脂がピンドット模様をなす態様で存在している場合には、ターンテーブルの回転と載置されている記録媒体の回転を、より一層同調し易くできるアニュラス形状を有するシートを提供でき好ましい。
【００２５】  基材におけるもう一方の主面上に接着剤層を有していてもよい。本構成を満足することによって、ターンテーブル上あるいは記録媒体にシートを接着して固定できる。その結果、ターンテーブルの回転と載置されている記録媒体の回転を、より一層同調し易くできるアニュラス形状を有するシートを提供できる。ここでいう接着剤層とは、両面テープや接着剤の層を指すものであって、本考案にかかる「基材よりもタック性を有する樹脂」とは異なる成分からなる層である。
【００２６】  シートの直径は適宜調整できる。具体例として、レコード盤用の滑り止めシートとして使用する場合には、その直径はレコード盤（例えば、ＬＰ盤レコードやＥＰ盤レコード）の直径以下の大きさであるように調整するのが好ましく、具体的には、下限値は０μｍより大きく５０ｍｍ以上であることができる。また、上限値は３００ｍｍ以下であることができ、１７４ｍｍ以下であることができ、１０６ｍｍ以下であることができ、１０５ｍｍ以下であることができ、１０４ｍｍ以下であることができる。特に、前記直径が１０５ｍｍ以下である場合には、レコード盤の音声データが存在している部分にシートを接触させることなく使用でき好ましい。
【００２７】  また、光ディスク用の滑り止めシートとして使用する場合には、その直径は光ディスクの中央に存在するデータが記録されていない部分の直径以下の大きさであるように調整するのが好ましく、具体的には、下限値は０μｍより大きく、光ディスクの中心に存在する円形の開口の直径より大きいことができる。また、上限値は４５ｍｍ以下であることができ、３６ｍｍ以下であることができ、３５ｍｍ以下であることができ、３４ｍｍ以下であることができる。特に、前記直径が３５ｍｍ以下である場合には、光ディスクの中央に存在するデータが記録されていない部分を囲うように存在する円形の突起内へシートを収めることができ、ターンテーブルによる光ディスクの回転に悪影響を与えるのを防止でき好ましい。
【００２８】  シートの中心に存在する円形の開口の直径（シートの内径）は適宜調整できる。具体例として、レコード盤用の滑り止めシートとして使用する場合には、レコード盤の中心に存在する円形の開口の直径以上であるように調整するのが好ましい。具体的には、上限値はシートの直径より小さいものであり、下限値は６ｍｍ以上であることができ、７ｍｍ以上であることができ、８ｍｍ以上であることができる。
【００２９】  また、光ディスク用の滑り止めシートとして使用する場合には、光ディスクの中心に存在する円形の開口の直径以上であるように調整するのが好ましい。具体的には、上限値はシートの直径より小さいものであり、下限値は１４ｍｍ以上であることができ、１５ｍｍ以上であることができ、１６ｍｍ以上であることができる。
【００３０】  シートの厚さは適宜調整できるが、ターンテーブルによる記録媒体の回転に悪影響を与えるのを防止できることから薄いのが好ましい。具体的には、下限値は０μｍより大きく１００μｍ以上であることができ、２００μｍ以上であることができ、３００μｍ以上であることができ、４００μｍ以上であることがでる。また、上限値は１０００μｍ以下であることができ、９００μｍ以下であることができ、８００μｍ以下であることができ、７００μｍ以下であることができ、６００μｍ以下であることができ、５００μｍ以下であることができる。
【実施例】
【００３１】  以下、実施例によって本考案を具体的に説明するが、これらは本考案の範囲を必ずしも限定するものではない。【００３２】（アニュラス形状を有する基材の用意）
厚紙を打ち抜き、アニュラス形状を有する基材Ａ（直径：１０４ｍｍ、内径：７ｍｍ）を用意した。また、前記厚紙よりも厚さの薄い紙を打ち抜き、アニュラス形状を有する基材Ｂ（直径：３５ｍｍ、内径：１５ｍｍ）を用意した。
【実施例１】
【００３３】  基材Ａにおける一方の主面上の全体およびもう一方の主面上の全体に、ピンドット模様をなすようにシリコン樹脂を印刷付与した。なお、各ドットの直径は０．８ｍｍであり、隣接するドットの中心同士がなす最短距離は２ｍｍであった。なお、後述する評価で使用した記録媒体に対し、使用したシリコン樹脂は基材を構成している厚紙よりもタック性を有するものであった。
このようにして、図１に図示したアニュラス形状を有するシートＡ（直径：１０４ｍｍ、内径：７ｍｍ、厚さ：５００μｍ）を調製した。
【実施例２】
【００３４】  実施例１と同様にして、基材Ｂにおける一方の主面上の全体のみに、ピンドット模様をなすようにシリコン樹脂を印刷付与した。なお、後述する評価で使用した記録媒体に対し、使用したシリコン樹脂は基材を構成している紙よりもタック性を有するものであった。
更に、もう一方の主面上の全てを覆うように接着剤を付与し、接着剤層を設けた。なお、接着剤層を構成する成分はシリコン樹脂と異なるものであった。
このようにして、図２に図示したアニュラス形状を有するシートＢ（直径：３５ｍｍ、内径：１５ｍｍ、厚さ：３００μｍ）を調製した。【００３５】（評価１）
レコードプレーヤーのターンテーブル上に直接ＬＰレコード盤を載置した。そして、この状態でレコードプレーヤーのターンテーブルを回転させてＬＰレコード盤を再生し、再生された音を基準とした。
次いで、図３に図示したように、レコードプレーヤーのターンテーブル上に実施例１で調製したアニュラス形状を有するシートＡを載置し、その上にＬＰレコード盤を載置した。つまり、レコードプレーヤーのターンテーブルとＬＰレコード盤との間に、実施例１で調製したアニュラス形状を有するシートＡを介在させた。そして、この状態でレコードプレーヤーのターンテーブルを回転させてＬＰレコード盤を再生し、再生された音と前記基準の音とを比較し評価した。【００３６】（評価２）
ＣＤプレーヤーのターンテーブル上に直接オーディオＣＤを載置した。そして、この状態でＣＤプレーヤーのターンテーブルを回転させてオーディオＣＤを再生し、再生された音を基準とした。
次いで、図４に図示したように、ＣＤプレーヤーのターンテーブル上に実施例２で調製したアニュラス形状を有するシートＢを接着剤層を介し接着して固定し、その上にオーディオＣＤを載置した。つまり、ＣＤプレーヤーのターンテーブルとオーディオＣＤとの間に、実施例２で調製したアニュラス形状を有するシートＢを介在させた。そして、この状態でＣＤプレーヤーのターンテーブルを回転させてオーディオＣＤを再生し、再生された音と前記基準の音とを比較し評価した。【００３７】（評価３）
ＣＤプレーヤーのターンテーブル上に直接オーディオＣＤを載置した。そして、この状態でＣＤプレーヤーのターンテーブルを回転させてオーディオＣＤを再生し、再生された音を基準とした。
次いで、図５に図示したように、オーディオＣＤの中央部分に実施例２で調製したアニュラス形状を有するシートＢを接着剤層を介し接着して固定し、その状態のオーディオＣＤをＣＤプレーヤーのターンテーブル上に載置した。つまり、ＣＤプレーヤーのターンテーブルとオーディオＣＤとの間に、実施例２で調製したアニュラス形状を有するシートＢを介在させた。そして、この状態でＣＤプレーヤーのターンテーブルを回転させてオーディオＣＤを再生し、再生された音と前記基準の音とを比較し評価した。【００３８】  上述の評価１〜評価３いずれにおいても、本考案にかかるアニュラス形状を有するシートを使用することによって、再生された音は高音から低音にかけ音の立ち上がりと立ち下がりが優れると感じられるものになり、また再生された音はダイナミックレンジが広く感じられるものになった。この理由として、ターンテーブルの回転と載置されている記録媒体の回転を十分に同調できたためだと考えられた。
【産業上の利用可能性】
【００３９】  本考案にかかるアニュラス形状を有するシートは、ターンテーブルと前記ターンテーブル上に載置される記録媒体との間に介在させて使用する、滑り止めシートとして使用できる。
【図１】
0003232961.tif 000003
【図２】
0003232961.tif 000004
【図３】
0003232961.tif 000005
【図４】
0003232961.tif 000006
【図５】
0003232961.tif 000007